(57)【要約】【課題】曲面の最上点位置や最下点位置を簡易且つ正確に測定(特定)することができるようにする。【解決手段】可撓性を有すると共に両端が閉じられた筒状の本体１と、該筒状の本体１に封入される液体２及び該液体２よりも比重が小さい第一の移動体３及び液体２よりも比重が大きい第二の移動体４とを有するようにした。【選択図】図１
2012088250.tif 000002
【特許請求の範囲】
【請求項１】
可撓性を有すると共に両端が閉じられた筒状の本体と、該筒状の本体に封入される液体及び該液体よりも比重が小さい第一の移動体とを有することを特徴とする位置決めチューブ。
【請求項２】
可撓性を有すると共に両端が閉じられた筒状の本体と、該筒状の本体に封入される液体及び該液体よりも比重が大きい第二の移動体とを有することを特徴とする位置決めチューブ。
【請求項３】
可撓性を有すると共に両端が閉じられた筒状の本体と、該筒状の本体に封入される液体及び該液体よりも比重が小さい第一の移動体及び前記液体よりも比重が大きい第二の移動体とを有することを特徴とする位置決めチューブ。
【請求項４】
前記液体が水であると共に前記第一の移動体が気泡若しくは灯油であることを特徴とする請求項１または３記載の位置決めチューブ。
【請求項５】
前記液体が水であると共に前記第二の移動体がステンレス鋼球若しくは鉄球であることを特徴とする請求項２または３記載の位置決めチューブ。
【発明の詳細な説明】
【技術分野】
【０００１】
本発明は、位置決めチューブに関する。さらに詳述すると、本発明は、例えば管状物の管軸方向直角断面の最上点や最下点の位置決めに用いて好適である位置決めチューブに関する。
【背景技術】
【０００２】
従来の水準器として、例えば図３に示すように、本体１０１を精度の高いアルミ成形材で形成し、当該本体１０１に水平度測定用気泡管１０２，垂直度測定用気泡管１０３，45度測定用気泡管１０４を埋設すると共に、本体１０１の底面に被測定面ａに当接する基準面１０５を形成するものがある（特許文献１）。
【先行技術文献】
【特許文献】
【０００３】
【特許文献１】実開平６−２２９１４号
【発明の概要】
【発明が解決しようとする課題】
【０００４】
例えば水平に配設された管軸方向直角断面が円形の配管に対する工事や検査では、事前準備として配管の天側（天部；即ち、管軸方向直角断面の最上点）及び地側（底部；即ち、管軸方向直角断面の最下点）の位置決めをする必要がある。
【０００５】
しかしながら、特許文献１の水準器では、本体１０１がアルミ成形材即ち一定の剛性を有するものとして成形されているために被測定面に沿って（言い換えると、被測定面の形状に合わせて）本体１０１が変形することができないので、被測定面が平坦面である場合に水平度や垂直度を測定することはできても、被測定面が曲面である場合に当該曲面の最上点位置や最下点位置を正確に測定する（言い換えると、特定する）ことは困難であったり他の器具を合わせて用いるなど面倒であったりする。このため、例えば配管の最上点・最下点の位置決めに手間と時間とがかかって効率的な作業遂行の妨げになってしまうという問題がある。
【０００６】
そこで、本発明は、曲面の最上点位置や最下点位置を簡易且つ正確に測定(特定)することができる位置決めチューブを提供することを目的とする。
【課題を解決するための手段】
【０００７】
かかる目的を達成するため、請求項１記載の位置決めチューブは、可撓性を有すると共に両端が閉じられた筒状の本体と、該筒状の本体に封入される液体及び該液体よりも比重が小さい第一の移動体とを有するようにしている。
【０００８】
したがって、この位置決めチューブによると、可撓性を有する筒状に本体を形成するようにしているので、被測定面が曲面である場合には当該曲面（具体的には例えば測定対象が配管である場合には当該配管の外周面）に沿わせて当接させることができ、その状態で比重が小さい第一の移動体が筒状の本体の内部を移動して最上点に位置するので、被測定面である曲面の最上点位置が正確に測定(特定)される。
【０００９】
また、請求項２記載の位置決めチューブは、可撓性を有すると共に両端が閉じられた筒状の本体と、該筒状の本体に封入される液体及び該液体よりも比重が大きい第二の移動体とを有するようにしている。
【００１０】
したがって、この位置決めチューブによると、可撓性を有する筒状に本体を形成するようにしているので、被測定面が曲面である場合には当該曲面に沿わせて当接させることができ、その状態で比重が大きい第二の移動体が筒状の本体の内部を移動して最下点に位置するので、被測定面である曲面の最下点位置が正確に測定(特定)される。
【００１１】
また、請求項３記載の位置決めチューブは、可撓性を有すると共に両端が閉じられた筒状の本体と、該筒状の本体に封入される液体及び該液体よりも比重が小さい第一の移動体及び前記液体よりも比重が大きい第二の移動体とを有するようにしている。
【００１２】
したがって、この位置決めチューブによると、可撓性を有する筒状に本体を形成するようにしているので、被測定面が曲面である場合には当該曲面に沿わせて当接させることができ、その状態で比重が小さい第一の移動体が筒状の本体の内部を移動して最上点に位置するか或いは比重が大きい第二の移動体が筒状の本体の内部を移動して最下点に位置するので、被測定面である曲面の最上点位置或いは最下点位置が正確に測定(特定)される。
【００１３】
また、請求項４記載の発明は、請求項１または３記載の位置決めチューブにおいて、前記液体が水であると共に前記第一の移動体が気泡若しくは灯油であるようにしている。この場合には、本体内部に封入される液体としての水よりも比重が小さい気泡若しくは灯油を第一の移動体として用いるようにしているので、本発明を構成し得る液体と第一の移動体との好適な組み合わせが実現される。
【００１４】
また、請求項５記載の発明は、請求項２または３記載の位置決めチューブにおいて、前記液体が水であると共に前記第二の移動体がステンレス鋼球若しくは鉄球であるようにしている。この場合には、本体内部に封入される液体としての水よりも比重が大きいステンレス鋼球若しくは鉄球を第二の移動体として用いるようにしているので、本発明を構成し得る液体と第二の移動体との好適な組み合わせが実現される。
【発明の効果】
【００１５】
本発明の位置決めチューブによれば、本体を被測定面に沿わせて当接させた状態で第一の移動体を最上点に位置させること或いは第二の移動体を最下点に位置させることによって被測定面の最上点位置・最下点位置を簡易且つ正確に測定(特定)することができるので、測定対象の最上点・最下点の位置決め作業の効率向上を図ることが可能になる。
【図面の簡単な説明】
【００１６】
【図１】本発明の位置決めチューブの実施形態の一例を示す側面図である。
【図２】図１の位置決めチューブの使用状態の例を示す側面図である。（Ａ）は曲面の最上点位置を測定する場合の例を示す側面図である。（Ｂ）は曲面の最下点位置を測定する場合の例を示す側面図である。
【図３】従来の水準器を示す側面図である。
【発明を実施するための形態】
【００１７】
以下、本発明の構成を図面に示す実施の形態の一例に基づいて詳細に説明する。
【００１８】
図１及び図２に、本発明の位置決めチューブの実施形態の一例を示す。この位置決めチューブは、可撓性を有すると共に両端が閉じられた筒状の本体１と、該筒状の本体１に封入される液体２及び該液体２よりも比重が小さい第一の移動体３及び液体２よりも比重が大きい第二の移動体４とを有するものである。
【００１９】
本体１は、可撓性を有する無色透明若しくは有色透明の材質によって成形される。本体１は、具体的には例えば合成樹脂により成形される。
【００２０】
本実施形態では、本体１は、合成樹脂によって円筒状（即ちチューブ）に形成され、本体１の両端部１ｂ，１ｂが同じく合成樹脂によって封じられ閉じられている。
【００２１】
そして、本体１には、両端部１ｂ，１ｂに挟まれた円筒状部分１ａ内に収容空間１ｃが形成される。
【００２２】
収容空間１ｃに封入される液体２としては、本実施形態では、水が用いられている。しかしながら、液体２は、水に限られるものではなく、第一の移動体３，第二の移動体４と分離するものであると共に、第一の移動体３，第二の移動体４が移動できる程度の流動性を有するものであればどのような流体であっても良い。
【００２３】
なお、液体２は、第一の移動体３及び第二の移動体４との区別ができれば、どのような色彩・透明度を有するものであっても良い。また、液体２には、適宜、界面活性剤を混入させるようにしても良い。
【００２４】
液体２としての水よりも比重が小さい第一の移動体３を、本実施形態では、気泡としている。しかしながら、第一の移動体３は、気泡に限られるものではなく、液体２として採用されている流体と分離するものであると共に前記流体よりも比重が小さいものであればどのようなものであっても良い。具体的には例えば合成樹脂球（中空若しくは中実；液体２よりも比重が小さくなるように配合材料も含めて調整されたもの）や発泡スチロールや防水加工された木球でも良いし、灯油でも良い。なお、第一の移動体３として固形物を用いる場合には、本体１の収容空間１ｃ内における移動性を確保するために第一の移動体３を球体とすることが好ましいが、球体に限られるわけではなく、例えば楕円体や移動可能な程度に一面が細かくなっている多面体などであっても良い。
【００２５】
また、液体２としての水よりも比重が大きい第二の移動体４として、本実施形態では、ステンレス鋼球が用いられている。しかしながら、第二の移動体４は、ステンレス鋼球に限られるものではなく、液体２として採用されている流体と分離するものであると共に前記流体よりも比重が大きいものであればどのようなものであっても良い。具体的には例えばステンレス鋼球を含む各種の鋼球や鉄球やアルミニウム球やガラス玉や合成樹脂球（液体２よりも比重が大きくなるように配合材料も含めて調整されたもの）や石球でも良い。なお、第二の移動体４として固形物を用いる場合には、本体１の収容空間１ｃ内における移動性を確保するために第二の移動体４を球体とすることが好ましいが、球体に限られるわけではなく、例えば楕円体や移動可能な程度に一面が細かくなっている多面体などであっても良い。。
【００２６】
なお、液体２と第一の移動体３と第二の移動体４とを相互に区別するために、また、第一の移動体３及び第二の移動体４と本体１とを区別するために、液体２，第一の移動体３，第二の移動体４として用いる流体や球体等を適宜着色するようにしても良い。
【００２７】
また、本体１や第一の移動体３や第二の移動体４の大きさは、特定の大きさに限定されるものではなく、例えば測定対象として想定される物の大きさなどを勘案して適宜選択・設定される。
【００２８】
上述した位置決めチューブの使い方を以下に説明する。
【００２９】
まず、図２(Ａ)を用い、測定対象物の、曲面になっている外周面の最上点を測定する場合について説明する。この場合には、測定対象物の曲面をなす被測定面５に位置決めチューブ(本体１)を上から押し当てて沿わせて当接させる。そうすると、液体２としての水よりも比重が小さい第一の移動体３としての気泡が収容空間１ｃの最上点１ｄの位置まで移動して静止する。そして、第一の移動体３の中央位置が被測定面５の最上点５ａであると判断することができる。
【００３０】
なお、このとき、第二の移動体４は、収容空間１ｃの最上点１ｄよりも下方になる例えば端部１ｂのどちらか寄りの位置に移動して静止する。
【００３１】
次に、図２(Ｂ)を用い、測定対象物の、曲面になっている外周面の最下点を測定する場合について説明する。この場合には、測定対象物の曲面をなす被測定面５に位置決めチューブ(本体１)を下から押し当てて沿わせて当接させる。そうすると、液体２としての水よりも比重が大きい第二の移動体４としてのステンレス鋼球が収容空間１ｃの最下点１ｅの位置まで移動して静止する。そして、第二の移動体４の中央位置が被測定面５の最下点５ｂであると判断することができる。
【００３２】
なお、このとき、第一の移動体３は、収容空間１ｃの最下点１ｅよりも上方になる例えば端部１ｂのどちらか寄りの位置に移動して静止する。
【００３３】
なお、本発明の位置決めチューブによっても、被測定面が平坦面である場合には水平度を測定することが可能である。
【００３４】
以上のように構成された本発明の位置決めチューブによれば、本体１を被測定面５に沿わせて当接させた状態で第一の移動体３を最上点１ｄに位置させること或いは第二の移動体４を最下点１ｅに位置させることによって被測定面５の最上点位置５ａ・最下点位置５ｂを簡易且つ正確に測定(特定)することができるので、測定対象の最上点・最下点の位置決め作業の効率向上を図ることが可能になる。
【００３５】
なお、上述の形態は本発明の好適な形態の一例ではあるがこれに限定されるものではなく、本発明の要旨を逸脱しない範囲において種々変形実施可能である。例えば、本実施形態では、液体２よりも比重が小さい第一の移動体３と液体２よりも比重が大きい第二の移動体４との両方を備えるようにしているが、例えば曲面の最上点位置のみの測定が想定される場合には第一の移動体３のみを備えるようにしても良いし、曲面の最下点位置のみの測定が想定される場合には第二の移動体４のみを備えるようにしても良い。
【符号の説明】
【００３６】
１  本体
２  液体
３  第一の移動体
４  第二の移動体
【図１】
2012088250.tif 000003
【図２】
2012088250.tif 000004
【図３】
2012088250.tif 000005